【手続補正書】
【提出日】平成19年8月17日(2007.8.17)
【手続補正１】
【補正対象書類名】明細書
【補正対象項目名】全文
【補正方法】変更
【補正の内容】
【書類名】      明細書
【発明の名称】  遊技機の基板収納ボックス
【特許請求の範囲】
【請求項１】  上面にＲＯＭを含む電子部品を実装したプリント配線基板からなる遊技制御回路基板を、箱体と該箱体の上面開口を閉塞するカバー体とで形成される基板収納ボックス内に配置して前記ＲＯＭを被覆状態とするとともに、前記ＲＯＭの前記被覆状態を解除した後に、前記ＲＯＭを再度の被覆状態とすることが可能な遊技機の基板収納ボックスにおいて、
前記カバー体は、
前記ＲＯＭの前記被覆状態の解除および前記再度の被覆状態の解除に対応して切断される第１切断部および第２切断部と、
前記第１切断部を切断した際に、前記箱体側に残される第１部材と、
前記第１切断部を切断した際に、前記第１部材を残した状態の前記箱体側から分離される第２部材と、
が合成樹脂により一体成型され、
前記ＲＯＭの前記被覆状態において、前記第１切断部を切断して前記箱体側から前記第２部材を分離することで、前記ＲＯＭの前記被覆状態を解除することが可能となり、
前記被覆状態が解除された前記ＲＯＭは、前記第２部材側に形成されている前記第２切断部の先端側に形成された固着部を前記箱体側に形成されている被固着部に固着することにより、前記再度の被覆状態となり、
前記第２切断部を切断して前記第２部材を分離することにより前記ＲＯＭの前記再度の被覆状態を解除することが可能となることを特徴とする遊技機の基板収納ボックス。
【発明の詳細な説明】
【０００１】
【発明の属する技術分野】
本発明は、遊技機、例えば、パチンコ遊技機やスロットマシンに設けられる回路基板を収納する基板収納ボックスに関するものである。
【０００２】
【従来の技術】
従来、パチンコ遊技機やスロットマシンには、多くの回路基板が設けられている。特に、遊技動作を制御する遊技制御回路基板には、マイクロコンピュータを構成するＭＰＵ、ＲＯＭ、ＲＡＭ等の電子素子が多数実装されている。そして、遊技動作を制御するプログラムが格納されるＲＯＭを交換することにより、多くの場合、異なる遊技内容を実現することが可能である。しかし、このようなＲＯＭ交換は、当初の認められた遊技内容と異なるため、許可されておらず、これを防止するために、出願人は、先に、特開平６−２６９５３９号に開示される技術を提案した。
【０００３】
【特許文献１】  特開平６−２６９５３９号公報
【０００４】
上記した技術は、基板収納ボックス５０の箱体５１の内周面に突設される係止突起５７に対して、箱体５１を被覆するカバー体６０に垂下される係止垂下片６６を係合させ、一旦、係止突起５７と係止垂下片６６とを係合させた状態では、その係合部分が基板収納ボックス５０内に存在しているので、外部からその係合状態をはずすことができない予定であった。
【０００５】
【発明が解決しようとする課題】
しかしながら、基板収納ボックス５０には、放熱孔等の多数の穴が存在するため、それらの穴からピアノ線等を挿入して上記した内部に存在する係止突起５７と係止垂下片６６との係合状態を解除して箱体５１とカバー体６０とを分解して被覆状態を解除し得るという不正行為が行われることがわかった。本発明は、上記した事情に鑑みなされたもので、その目的とするところは、内部に収納されるＲＯＭの検査を複数回にわたって行うことができる遊技機の基板収納ボックスを提供することにある。
【０００６】
【課題を解決するための手段】
上記した目的を達成するために、本発明が採用した手段を図面を参照して説明すると、図５乃至図１３に示すように、上面にＲＯＭ９８を含む電子部品を実装したプリント配線基板からなる遊技制御回路基板９２を、箱体５１と該箱体５１の上面開口を閉塞するカバー体７０とで形成される基板収納ボックス５０内に配置して前記ＲＯＭ９８を被覆状態とするとともに、前記ＲＯＭ９８の前記被覆状態を解除した後に、前記ＲＯＭ９８を再度の被覆状態とすることが可能な遊技機の基板収納ボックス５０において、前記カバー体７０は、前記ＲＯＭ９８の前記被覆状態の解除および前記再度の被覆状態の解除に対応して切断される第１切断部としての連結突部８１および第２切断部としての連結係合爪８２ａと、前記第１切断部としての連結突部８１を切断した際に、前記箱体５１側に残される第１部材（分離カバー体部８０以外のカバー体）と、前記第１切断部としての連結突部８１を切断した際に、前記第１部材を残した状態の前記箱体５１側から分離される第２部材としての分離カバー体部８０と、が合成樹脂により一体成型され、前記ＲＯＭ９８の前記被覆状態において、前記第１切断部としての連結突部８１を切断して前記箱体５１側から前記第２部材としての分離カバー体部８０を分離することで、前記ＲＯＭ９８の前記被覆状態を解除することが可能となり、前記被覆状態が解除された前記ＲＯＭ９８は、前記第２部材としての分離カバー体部８０側に形成されている前記第２切断部としての連結係合爪８２ａの先端側に形成された固着部としての係合爪８２を前記箱体５１側に形成されている被固着部として係合凸部８５に固着することにより、前記再度の被覆状態となり、前記第２切断部としての連結係合爪８２ａを切断して前記第２部材としての分離カバー体部８０を分離することにより前記ＲＯＭ９８の前記再度の被覆状態を解除することが可能となることを特徴とするとするものである。
【０００７】
このように構成することにより、箱体５１とカバー体７０による遊技制御回路基板９２の被覆状態を解除するには、少なくとも第２部材としての分離カバー体部８０の第１切断部としての連結突部８１を切断して破壊する以外に方法はなく、仮に第１切断部としての連結突部８１が切断されていれば、不正な処理が行われたことが直ちにわかる。また、第２部材としての分離カバー体部８０側に形成されている第２切断部としての連結係合爪８２ａの先端側に形成された固着部としての係合爪８２を箱体５１側に形成されている被固着部として係合凸部８５に固着することにより、再度の被覆状態となり、前記第２切断部としての連結係合爪８２ａを切断して前記第２部材としての分離カバー体部８０を分離することによりＲＯＭ９８の前記再度の被覆状態を解除することが可能となるので、被覆状態を一度解除しても再度の被覆状態とすることができる。
【０００８】
【発明の実施の形態】
以下、図面を参照して、本発明の実施形態について説明する。まず、図２８及び図２９を参照して、実施形態に係る遊技機の一例としてのパチンコ遊技機１の構成について説明する。図２８は、パチンコ遊技機１の正面図であり、図２９は、パチンコ遊技機１の背面図である。図２８において、パチンコ遊技機１の額縁状に形成された前面枠２の開口には、扉保持枠３が周設され、該扉保持枠３にガラス扉枠４と前面扉板５とが一側（左側）を軸として開閉自在に設けられている。ガラス扉枠４の後方には、遊技盤１１が配置され、前面扉板５の前面には、打球供給皿６が取り付けられている。この打球供給皿６は、払い出された景品玉を貯留し且つ打玉として発射位置に１個ずつ供給するものであり、その上流側の内部空間に遊技に関連する効果音を発生するスピーカ７が内蔵されている。また、前記前面枠２の下方には、打玉を発射する際に操作する操作ハンドル９と、前記打球供給皿６に貯留し切れない余剰の景品玉を貯留する余剰玉受皿８とが設けられている。また、前面枠２には、その上部前面に特定遊技状態となったことを報知する遊技効果ランプ装置１０が設けられている。
【０００９】
ところで、前記遊技盤１１の表面には、発射された打玉を誘導するための誘導レール１２がほぼ円状に植立され、該誘導レール１２で区画された領域が遊技領域１３を構成している。遊技領域１３のほぼ中央上部には、複数（３つ）の回転ドラム１５ａ〜１５ｃを有する可変表示装置１４が配置されている。この可変表示装置１４の回転ドラム１５ａ〜１５ｃは、独立したドラムモータ（図示しない）によって回転駆動され、その図柄停止位置を検出するためにドラムセンサ（図示しない）が内蔵され、更に表示される図柄を照射装飾するためのドラムランプ（図示しない）を内蔵している。
【００１０】
また、可変表示装置１４には、その上部に飾りＬＥＤ２０が設けられ、該飾りＬＥＤ２０の下部に始動記憶ＬＥＤ２１が設けられている。飾りＬＥＤ２０は、０〜９までの符号のついた１０個のＬＥＤから構成され、後述する特定遊技状態となったときに所定のランダム数から抽出される値に対応するＬＥＤが点灯するようになっている。そして、飾りＬＥＤ２０は、特定遊技状態の発生に関連していずれか１つがランダムに点灯表示されるもので、遊技内容には直接関係しないが、遊技場が所定のサービス（例えば、特定遊技状態で獲得した多量の景品玉を使用して継続して遊技を行うことを許可するサービス）を提供する場合に使用できる。例えば、「７」の飾りＬＥＤ２０で点灯停止したときに所定のサービスを提供するようにすれば良い。また、始動記憶ＬＥＤ２１は、後述する始動入賞口２３に入賞した打玉のうち記憶したものを表示するものである。更に、可変表示装置１４の両サイドには、回転ドラム１５ａ〜１５ｃの縦横３つの図柄によって構成される５本の当りラインを表示するライン表示ＬＥＤ２２が設けられている。本実施形態における当りラインは、図示するように、上段水平の当りライン１と、右下がり対角線の当りライン２と、中断水平の当りライン３と、右上り対角線の当りライン４と、下段水平の当りライン５と、があり、いずれかの当りライン上に所定の図柄（大当り図柄という場合がある）が並んだときに大当りとなって特定遊技状態を生起せしめる。
【００１１】
上記のように構成される可変表示装置１４の下方には、前記回転ドラム１５ａ〜１５ｃの回転を許容する始動入賞口２３が設けられている。この始動入賞口２３に入賞した入賞玉は、遊技盤１１の裏面に導かれて始動口スイッチ２４によって検出される。なお、始動入賞口２３への入賞に基づく可変表示装置１４の回転は、所定回数（例えば、４回）記憶され、その旨が可変表示装置１４に設けられる始動記憶ＬＥＤ２１によって表示されるようになっている。
【００１２】
前記可変表示装置１４の下方に入賞領域２６を有する可変入賞球装置２５が設けられている。可変入賞球装置２５の入賞領域２６には、下端両サイドを軸支して、遊技盤１１面に対して垂直方向に開閉自在とされる開閉板２７によって塞がれている。この開閉板２７は、開閉板用ソレノイド２８によって開閉制御され、開成中には、遊技盤１１の表面を落下する打玉を受止めて入賞領域２６に導き入賞玉とする。また、入賞領域２６の内部は、３つに区画され、その中央に特定領域２９が形成され、その左右に通常領域が形成されている。特定領域２９には、特定領域スイッチ３０が設けられ、また、通常入賞領域にも１０カウントスイッチ３１ａ，３１ｂが設けられている。
【００１３】
なお、入賞領域２６の後面壁には、その中央に打玉が特定領域２９に入賞して特定領域スイッチ３０をＯＮしたときに、継続権が成立した旨を報知するＶ表示ＬＥＤ３２が設けられ、その一側に特定遊技状態における開閉板２７の開放回数を表示する開成回数表示器３３が設けられている。また、入賞領域２６の下方のには、特定領域スイッチ３０及び１０カウントスイッチ３１ａ，３１ｂで検出された打玉数を表示する個数表示ＬＥＤ３４が設けられている。更に、可変入賞球装置２５の取付基板７の左右部には、通常の入賞口（符号なし）が一体的に形成され、入賞口の外側にアタッカーランプ３５が設けられている。
【００１４】
しかして、上記のように構成される可変入賞球装置２５は、以下のように作動する。即ち、打玉がいずれかの始動入賞口２３に入賞して始動口スイッチ２４をＯＮさせると、可変表示装置１４の回転ドラム１５ａ〜１５ｃが回転を開始し、一定時間（例えば、５秒）が経過すると、左側の回転ドラム１５ａから順次停止され、すべての回転ドラム１５ａ〜１５ｃの停止時の図柄の組み合せが大当り図柄の組合せとなったときに特定遊技状態となる。そして、この特定遊技状態においては、可変入賞球装置２５の開閉板２７が所定期間（例えば、２０秒経過するまで、あるいは１０個の入賞玉が発生するまで）開放するように設定され、その開放している間遊技盤１１の表面を落下する打玉を受止めるようになっている。そして、入賞領域２６内に設けられた特定領域２９に入賞すると、再度上記した開放状態を繰り返し、特定領域２９に入賞玉が入賞する毎に継続権が成立して開放状態を最高１６回繰り返すことができるようになっている。
【００１５】
更に、遊技盤１１の表面には、前記可変表示装置１４の上部左右側方に風車ランプ３７が設けられ、下部側方に入賞口（符号なし）が設けられている。また、前記風車ランプ３７は、前記特定遊技状態時や始動入賞時等に点灯又は点滅してその旨を報知するものであり、同様な機能を有するものとして、遊技領域１３の左右にサイドランプ３６が設けられている。また、遊技盤１１の表面の最下方には、上記したいずれの入賞領域にも入賞しなかった打玉が遊技盤１１の後方に導かれるアウト口（図示しない）が設けられている。また、誘導レール１２の外周に沿ってレール飾りランプ３８が設けられている。
【００１６】
一方、パチンコ遊技機１の裏面構成においては、図２９に示すように、機構板４１が開閉自在に設けられている。この機構板４１の中央には、窓開口４２が開設され、該窓開口４２に対応する遊技盤１１の裏面には、入賞玉集合カバー体３９が設けられている。入賞玉集合カバー体３９には、前記可変表示装置１４の後面突出部が貫通しており、その後面突出部の裏面にドラム中継基板１９が設けられている。このドラム中継基板１９には、前記ドラムモータ、ドラムランプ、ドラムセンサ等からの配線がコネクタを介して接続される一方、後述する回路基板としての遊技制御回路基板９０と接続される配線もコネクタを介して接続されるようになっている。また、入賞玉集合カバー体３９の裏面には、可変表示装置１４以外の遊技盤１１に設けられる電気機器（例えば、始動口スイッチ２４、ソレノイド２８、特定領域スイッチ３０、１０カウントスイッチ３１ａ，３１ｂ、各種の表示器及びランプ等）からの配線がコネクタを介して接続される一方、遊技制御回路基板９０からの配線もコネクタを介して接続される中継基板４０も設けられている。要は、ドラム中継基板１９も中継基板４０も遊技制御回路基板９０と遊技盤１１に設けられる電気機器との配線の中継を行うものである。
【００１７】
ところで、機構板４１には、周知のように発生した入賞玉に基づいて所定個数の景品玉を払い出すための景品玉タンク４３、景品玉払出装置４４、入賞玉処理装置４５等の各種の機構が設けられるものであるが、更に、前記した遊技盤１１に設けられる可変表示装置１４や可変入賞球装置２５等の遊技装置の遊技動作を制御する遊技制御回路基板９２を収納する基板収納ボックス５０も機構板４１の裏面に取り付けられている。この基板収納ボックス５０に収納される遊技制御回路基板９２は、機構板４１の上部一側に設けられるターミナル基板４６に接続されて電源の供給を受けている。また、ターミナル基板４６は、遊技制御回路基板９２に電源を供給するだけでなく、パチンコ遊技機１に設けられる電気的駆動源、例えば、打球発射装置４７にも電源を供給すると共に、パチンコ遊技機１の内部での信号線の中継、あるいはパチンコ遊技機１と外部との信号線の中継を行うための端子も設けられている。
【００１８】
次に、本実施形態の要部を構成する基板収納ボックス５０の構成について図１乃至図４を参照して説明する。図１は、第１実施形態に係る基板収納ボックス５０の平面図であり、図２は、基板収納ボックス５０の分解斜視図であり、図３は、基板収納ボックス５０における被覆状態を解除する場合を説明する斜視図であり、図４は、図１のＡ−Ａ線で切断した基板収納ボックス５０の断面図と要部の拡大部分断面図である。
【００１９】
しかして、基板収納ボックス５０は、遊技制御回路基板９２を収納支持する箱体５１と、該箱体５１の上面を閉塞するカバー体７０とが組付構成され、そのように組付構成された基板収納ボックス５０は、前記機構板４１の裏面に止着される取付台１００に着脱自在に取り付け得るようになっている。以下、各組付構成部品毎に説明する。
【００２０】
まず、箱体５１は、上面が開放した直方体状に合成樹脂（金属でも良い）で形成され、その側壁のほぼ全域に内部で発生する熱を放熱するための放熱孔５２が多数穿設されている。また、箱体５１の底面には、比較的大きな長方形状の開口５３が開設され、該開口５３の長手方向開口縁には、取付台１００の後述する係合レール１０１に係合するＬ字状の係合片５４が垂下形成されている。なお、箱体５１の底面は、図４（Ａ）に示すように、側壁の下端よりもやや上方の位置に底上げ状態で形成されているため、垂下形成される上記係合片５４は、箱体５１の側壁と同一平面状に位置することとなる。
【００２１】
更に、箱体５１の底面には、その前方部中央に係止孔６０が形成され、その一側長辺部左右に支持位置決め突起５５が突設され、その他側長辺部左右に止め突起５６が突設されている。係止孔６０は、基板収納ボックス５０を取付台１００に装着した際に取付台１００に形成される係止突起１０４と係合して基板収納ボックス５０全体を機構板４１の裏面に支持固定するものである。また、支持位置決め突起５５は、遊技制御回路基板９２の一側長辺部両端をカバー体７０に設けられる後述する押え部材７６と挟持して支持するものであり、止め突起５６は、遊技制御回路基板９２の他側長辺部両端をビス９５で止着支持するものである。なお、支持位置決め突起５５及び止め突起５６については、後に詳述する。
【００２２】
また、箱体５１の長手方向一側側壁の２カ所及び短辺方向両側側壁の１カ所には、係合穴５７が形成されている。この係合穴５７は、カバー体７０を箱体５１に被覆したときにカバー体７０の裏面に垂下形成される係止垂下片７５と係合するようになっており、この係合穴５７と係止垂下片７５との係合状態は、通常時に、外部から操作してその係合状態を解除することができようになっているが、本実施形態においては、箱体５１とカバー体７０とが接着剤等によって接着されているので、係合穴５７と係止垂下片７５との係合状態を解除しても箱体５１とカバー体７０とを分離することはできないようになっている。なお、箱体５１とカバー体７０との組付けを分離できないような構造として接着以外の構造であっても良い。このような構造については、後に詳述する。
【００２３】
更に、箱体５１の長手方向の他側辺側壁は、高さが低く形成された配線引き出し凹部５８となっており、また、箱体５１の底面開口５３の両側部には、複数の楕円形状の開口５９が開設されている。開口５９は、図４（Ａ）に示すように、次に説明する透明板６１によって閉塞されてしまうので、放熱孔としての機能を有さないが、箱体５１を形成する原材料の軽減に寄与するものである。
【００２４】
また、箱体５１の前記開口５３を閉塞するために透明板６１が箱体５１の内側から底面に当接して設けられる。このため、透明板６１の四隅には、間隔保持筒部６２が上面に形成され、この間隔保持筒部６２が図４（Ａ）に示すように、前記支持位置決め突起５５及び止め突起５６を貫通して所定の位置に保持され、また、間隔保持筒部６２の上面に遊技制御回路基板９２の下面が当接して透明板６１と遊技制御回路基板９２との間隔を保持している。しかして、箱体５１の底面を透明板６１で閉塞することにより、遊技制御回路基板９２の裏面（ハンダ面）が外部から透視し得ることとなり、仮にハンダ面に不正な工作（例えば、ジャンパー配線を接続したり、電子部品を実装したりする不正工作）をした場合には、直ちにわかるようになっている。この意味で、透明板６１によって閉塞される開口５３の大きさは、基板収納ボックス５０を傾けながらハンダ面の全域が見える程度の大きさがあれば十分である。
【００２５】
一方、上記した箱体５１の上面を閉塞するカバー体７０は、透明な合成樹脂によって一体的に成形されるもので、その長手方向の他側辺部が下方向に曲折された仕切片７１となっている。この仕切片７１の位置は、カバー体７０を箱体５１に装着したときに図１に示すように、遊技制御回路基板９２のコネクタ実装領域９４が外部に現れて接続開口７２を形成するような位置で曲折される。これにより、箱体５１にカバー体７０を組付構成した状態で接続開口７２に臨むコネクタに外部からの配線を接続することができる。また、カバー体７０の表面の後述する分離カバー体部８０及び表示領域７７を除く領域には、内部で発生した熱を外部に放出するための放熱孔７３（図１の二点鎖線で囲んだ範囲）が多数形成されている。
【００２６】
更に、カバー体７０の長辺方向端縁及び短辺方向端縁には、箱体５１の側壁上端縁と係合する掛止部７４が適宜間隔を置いて２個ずつ突設され、該掛止部７４の間のカバー体７０には、下方に向かって垂下される係止垂下片７５が形成されている。係止垂下片７５には、先端に爪部７５ａが形成され、この爪部７５ａが箱体５１の前記係合穴５７に係合するようになっている。
【００２７】
また、カバー体７０の一側辺部両側に押え部材７６が垂下されており、また、カバー体７０を箱体５１に組み付けた状態で、カバー体７０の上面と箱体５１の側壁との間を差し渡すように封印紙７８が貼付される。
【００２８】
上記した押え部材７６の詳細な説明をする前に、遊技制御回路基板９２の構造について簡単に説明すると、遊技制御回路基板９２は、周知のようにプリント配線基板によって構成され、その上面がＲＯＭ９８を含む電子部品の実装面とされ、その実装面の大部分が電子部品実装領域９３として使用され、後方の一部がコネクタ実装領域９４とされる。また、遊技制御回路基板９２には、その一側長辺左右に前記支持位置決め突起５５に対応する係止穴９６が形成され、その他側長辺左右に前記止め突起５６に対応する止め穴９７が形成されている。
【００２９】
上記のように構成されるカバー体７０の押え部材７６の作用について以下説明する。透明板６１が装着された状態の箱体５１において、遊技制御回路基板９２の一側長辺の係止穴９６を支持位置決め突起５５の先端突起部に差し込み、他側長辺の止め穴９７を止め突起５６に載置する。この状態で止め穴９７と止め突起５６の穴を一致させてビス９５を螺着することにより、一応、遊技制御回路基板９２を箱体５１に止着したこととなる。そして、その後、カバー体７０を箱体５１の上方から装着する。この際、押え部材７６の先端部が図４（Ａ）に示すように、遊技制御回路基板９２の上面に当接すると共に、係止穴９６を貫通している支持位置決め突起５５の先端突起部が押え部材７６の中心に形成された穴に係合するので、遊技制御回路基板９２の一側長辺部が支持位置決め突起５５と押え部材７６とによって挟持止着された状態となり、他側長辺部のビス９５による止着とで完全に遊技制御回路基板９２を基板収納ボックス５０内に止着したこととなる。
【００３０】
ところで、カバー体７０には、本実施形態の要部を構成する分離カバー体部８０が形成されている。この分離カバー体部８０の構成について主として図３を参照しながら以下詳細に説明する。分離カバー体部８０は、長方形状であって遊技制御回路基板９２に実装されるＲＯＭ９８の上方部分の対応する位置に設けられ、その長手方向の適宜箇所に２個ずつブリッジ状に掛け渡される連結突部８１によってカバー体７０と分離カバー体部８０とが一体的に形成（本実施形態では、合成樹脂による一体成形）されている。そして、連結突部８１を、例えばニッパ等の工具を用いて切断することにより、分離カバー体部８０をカバー体７０から完全に分離することができるようになっている。また、分離カバー体部８０の四辺の各辺には、上方向に係合爪８２が突設されている。この係合爪８２は、サンプル検査時等に前記連結突部８１を切断して分離カバー体部８０を分離してＲＯＭ９８を検査した後に、再度分離カバー体部８０を裏返してカバー体７０に装着する際に使用するものである。なお、係合爪８２の突設位置の左右には、載置係止突片８３が形成されているが、この載置係止突片８３については、係合爪８２の作用と共に後に詳述する。
【００３１】
また、連結突部８１を切断して分離カバー体部８０を分離したときには、カバー体７０に長方形状の分離開口縁８４が形成されることとなるが、この分離開口縁８４の適宜箇所には、分離カバー体部８０を裏返して装着したときに、前記係合爪８２と係合する係合凸部８５が形成され、その係合凸部８５の左右に前記載置係止突片８３と当接する載置当接突片８６が突設されている。
【００３２】
更に、分離カバー体部８０は、前述したようにカバー体７０と一体成形されており、その状態では、連結突部８１によって連結されており、その連結状態において、カバー体７０の内側面には、分離カバー体部８０とカバー体７０との間に掛け渡されるように、内側封印シール８７が貼付されている。この内側封印シール８７は、分離カバー体部８０を分離したときに、分離カバー体部８０側に封印痕８７ａが残留するような構造のものとなっている。なお、分離カバー体部８０の表面には、放熱孔８９（図１の二点鎖線で示した範囲）が多数形成されると共に、連結突部８１を切断する方法についての説明書が形成されている表示領域９０、及び切断箇所を指し示す切断箇所表示部９１が形成されている。
【００３３】
上記のように構成される基板収納ボックス５０においては、箱体５１とカバー体７０とが接着剤によって強固に接着されているので、箱体５１とカバー体７０とを分離して遊技制御回路基板９２の被覆状態を解除することは不可能である。しかして、その被覆状態を解除しようと思えば、図４（Ａ）に示す連結突部８１をＢ−Ｂ線に沿ってニッパ等の工具で切断して分離カバー体部８０をカバー体７０から分離させてＲＯＭ９８を臨ませなければならない。しかしながら、このように連結突部８１を切断したときには、その切断したことにより、連結突部８１が無くなるので、その点からだけでも遊技制御回路基板９２のＲＯＭ９８に不正な処理を施したか否かがわかる。
【００３４】
仮に、切断した連結突部８１を巧妙に接着剤で接着して元の状態に復元させたとしても、分離カバー体部８０を分離させるときには、対抗する２カ所の内側に貼付される内側封印シール８７の少なくともいずれか一方を剥さざるを得ず、この内側封印シール８７を剥したときには、分離カバー体部８０側に封印痕８７ａが残留するので、この封印痕８７ａと内側封印シール８７とを合致させながら、しかも連結突部８１を接着剤で接着する作業を行うのは、不可能である。
【００３５】
つまり、本実施形態においては、遊技機に設けられる遊技制御回路基板９２を収納する基板収納ボックス５０において、該基板収納ボックス５０が遊技制御回路基板９２を収納する箱体５１、該箱体５１の底面開口５３を閉塞する透明板６１、箱体５１の上面を被覆するカバー体７０等の複数の構成部品によって組み付け構成されると共に、遊技制御回路基板９２を被覆するための組付構成部品である箱体５１とカバー体７０のうち、カバー体７０の一部を構成する分離カバー体部８０の連結突部８１を切断して破壊しない限りその被覆状態を解除することができない固着手段としての連結突部８１と、その被覆状態を明示する明示手段としての内側封印シール８７と、を設け、しかも、明示手段としての内側封印シール８７を基板収納ボックス５０の内側に設けたので、箱体５１とカバー体７０による遊技制御回路基板９２の被覆状態を解除するには、少なくとも分離カバー体部８０の連結突部８１を切断して破壊する以外に方法はなく、仮に連結突部８１が破壊され且つ内側封印シール８７による封印状態が解除されていれば、不正な処理が行われたことが直ちにわかる。
【００３６】
仮に、連結突部８１の切断を慎重に行って遊技制御回路基板９２に対して不正な処理を施した後、その切断した連結突部８１を接着剤等で接着して不正を行わなかったように偽装することが考えられるが、このような場合であっても、分離カバー体部８０とカバー体７０との間の内側（基板収納ボックス５０の内部）に掛け渡されるように貼付される内側封印シール８７を元の貼付された状態に戻しながら偽装工作するのは不可能であり、結局、遊技制御回路基板９２に対する不正処理が行われたか否かが容易にわかる。
【００３７】
なお、遊技場においては、監督官庁によりパチンコ島台に列設されるパチンコ遊技機１の中から１台又は２台程度抜き出してＲＯＭ９８の検査（サンプル抽出検査）を行う場合がある。このようなサンプル抽出検査を行う場合には、図４（Ｂ）に示すように連結突部８１をニッパ等で切断して分離カバー体部８０を分離せしめてＲＯＭ９８を露出せしめ、そのＲＯＭ９８を引き抜いて調査した後、再度ＲＯＭ９８を遊技制御回路基板９２に実装し、その後、分離カバー体部８０を裏返して係合爪８２を係合凸部８５に係合させて分離カバー体部８０をカバー体７０に装着する。このとき、図４（Ｃ）に示すように、載置係止突片８３と載置当接突片８６とが上下方向に重複した当接状態となるので、分離カバー体部８０が基板収納ボックス５０内に脱落することはない。なお、載置係止突片８３と載置当接突片８６とが当接した状態では、カバー体７０と分離カバー体部８０とが同一平面となっている。そして、上記のように分離カバー体８０を裏返して装着した状態で遊技制御回路基板９２は、再度被覆された状態となり、この被覆状態を保証するために、検査を行った監督官庁が発行する検査済封印紙８８を分離カバー体部８０とカバー体７０との間（図示の実施形態では、箱体５１との間まで延設されている）を掛け渡すように貼付すれば良い。
【００３８】
上記のように外部からは分離できないように組付構成された基板収納ボックス５０は、図２に示すような機構板４１に止着される取付台１００に着脱自在に取り付けられるようになっている。ここで簡単に取付台１００の構成について説明すると、取付台１００は、合成樹脂（金属でも良い）によって一体的に形成され、その中央に前記係合片５４と係合する一対の係合レール１０１が逆Ｌ字状に形成され、その上下端縁に基板収納ボックス５０の側壁を案内するガイド片１０２（このガイド片１０２は必ずしも必要でない）が突設されている。一方、取付台１００の一側端部には、弾性変形する係止解除レバー１０３が形成され、該係止解除レバー１０３の基部に前記係止孔６０と係合する係止突起１０４が突設されている。
【００３９】
しかして、基板収納ボックス５０を取付台１００に装着するときには、取付台１００の側方から係合片５４が係合レール１０１に係合するように押し込み、更に強く押し込むことにより係止突起１０４上面の傾斜面に沿って係止解除レバー１０３が下方に弾性し、遂には、係止突起１０４と係止孔６０とが係合して装着を完了する。一方、基板収納ボックス５０を取り外すには、係止解除レバー１０３を下方に押圧して係止孔６０と係止突起１０４との係合を解除した状態で基板収納ボックス５０を押し込み方向とは逆の方向に引き抜くことにより簡単に取り外すことができる。
【００４０】
上記した実施形態に係る基板収納ボックス５０（以下、第１実施形態という）においては、サンプル抽出検査時における分離カバー体部８０の脱着は、１回しか行えないものを示したが、これを複数回行えるようにしたものでも良い。例えば、図５乃至図１３においては、２回のサンプル抽出検査が行えるような構造のもの（以下、第２実施形態という）を示し、図１４乃至図１８においては、２回以上のサンプル抽出検査が行えるような構造のもの（以下、第３実施形態という）を示している。
【００４１】
そこで、まず、図５乃至図１３を参照して第２実施形態の基板収納ボックス５０について説明する。なお、この第２実施形態における構成要素のうち、第１実施形態の構成要素と同じものには、同一の符号を付した。図５は、第２実施形態に係る基板収納ボックス５０の要部の拡大平面図であり、図６は、１回目の検査後の被覆状態における基板収納ボックス５０の要部の平面図であり、図７は、２回目の検査後の被覆状態における基板収納ボックス５０の要部の平面図であり、図８は、図５のＣ−Ｃ線で切断した断面図であり、図９は、１回目の検査のために被覆状態を解除したときの状態を説明するための断面図であり、図１０は、図６のＤ−Ｄ線及びｄ−ｄ線で切断した断面図であって１回目の検査後の被覆状態を説明するための断面図であり、図１１及び図１２は、２回目の検査のために被覆状態を解除したときの状態を説明するための断面図であり、図１３は、図７のＥ−Ｅ線及びｅ−ｅ線で切断した断面図であって２回目の検査後の被覆状態を説明するための断面図である。
【００４２】
しかして、この第２実施形態と前記第１実施形態との相違点は、第１実施形態において、複数（４つ）の係合爪８２が最初の状態ですべて上方向に向いていたものを、第２実施形態においては、係合爪８２を２組に分けて、一方の組の係合爪８２ａを上向きで且つ第１実施形態の連結突部８１と同様な構造によって分離カバー体部８０の裏面から表面に向かってブリッジ状に突設するように構成し、他方の組の係合爪８２ｂを分離カバー体部８０の裏面から下方に向かって突設して構成する。具体的には、長方形状の分離カバー体部８０の短辺側に設けられる係合爪８２ａ（以下、連結係合爪８２ａという）をブリッジ状に構成したものである。これ以外の構成は、第１実施形態とほぼ同じである。
【００４３】
この第２実施形態においては、遊技場に設置された状態で、図５及び図８に示すように、分離カバー体部８０は、連結突部８１によってカバー体７０と連結され、内側封印シール８７によって封印された状態となっている。このような状態で、１回目の検査が必要となったときには、複数（４つ）の連結突部８１を図８のＦ−Ｆ線に沿ってニッパ等の工具で切断することにより、図９に示すように、分離カバー体部８０をカバー体７０から分離することができ、ＲＯＭ９８を外部に露出することができる。そして、ＲＯＭ９８を抜き出して検査した後、再度ＲＯＭ９８を所定の位置に差し込み、その後、図１０（Ａ）に示すように、分離カバー体部８０を裏返して連結係合爪８２ａを係合凸部８５ａに係合させる。この際、図１０（Ｂ）（図６のｄ−ｄ断面図）に示すように連結係合爪８２ａの左右に突設される載置係止突片８３ａと係合凸部８５ａの左右に突設される載置当接突片８６ａとが重合した状態で当接するので、分離カバー体部８０が内部に脱落するのを防止している。
【００４４】
なお、この状態では、図６に示すように、分離カバー体部８０の中央に２回目の分離の仕方を説明している表示領域９０ａが形成されると共に切断箇所を明示する切断箇所表示部９１ａが形成されている。更に、この被覆した状態では、監督官庁の検査済封印紙８８が分離カバー体部８０の上面からカバー体７０及び箱体５１の側面にかけて貼付されている。
【００４５】
次いで、２回目の検査が必要となったときには、左右２カ所の連結係合爪８２ａの頭部を図１０のＧ−Ｇ線に沿ってニッパ等の工具で切断することにより、図１１に示すように、分離カバー体部８０をカバー体７０から分離することができ、ＲＯＭ９８を外部に露出することができる。そして、ＲＯＭ９８を抜き出して検査した後、再度ＲＯＭ９８を所定の位置に差し込み、その後、図１２に示すように、分離カバー体部８０を裏返し、且つ図１３（Ａ）に示すように左右逆となるように１８０度回転せしめて係合爪８２ｂを係合凸部８５ｂに係合させる。この際、図１３（Ｂ）（図７のｅ−ｅ断面図）に示すように係合爪８２ｂの左右に突設される載置係止突片８３ｂと係合凸部８５ｂの左右に突設される載置当接突片８６ｂとが重合した状態で当接するので、分離カバー体部８０が内部に脱落するのを防止している。
【００４６】
なお、この状態では、図７に示すように、分離カバー体部８０の中央に最初の状態における表示領域９０ａが上下逆向きに表示されると共に切断箇所を明示する切断箇所表示部９１ａも上下逆向きに表示されている。更に、この被覆した状態では、再度監督官庁の検査済封印紙８８が分離カバー体部８０の上面からカバー体７０及び箱体５１の側面にかけて貼付されている。
【００４７】
次に、図１４乃至図１８を参照して第３実施形態に係る基板収納ボックス５０について説明する。図１４は、初期状態における基板収納ボックス５０の要部の平面図であり、図１５は、１回目以上の検査後の被覆状態における基板収納ボックス５０の要部の平面図であり、図１６は、図１４のＨ−Ｈ線で切断した断面図であり、図１７は、検査のために被覆状態を解除したときの状態を説明するための断面図であり、図１８は、図１５のＩ−Ｉ線で切断した断面図である。
【００４８】
しかして、この第３実施形態と前記第１実施形態との相違点は、第１実施形態において、複数（４つ）の係合爪８２を有するものであったが、第３実施形態においては、係合爪８２に代えて止め穴１０５ａを有する取付片１０５を分離カバー体部８０に形成し、カバー体７０の分離開口縁８４に沿った適宜位置の裏面に止着穴１０６ａを有する止着ボス１０６を一体形成した点である。これ以外の構成は、第１実施形態とほぼ同じである。
【００４９】
この第３実施形態においては、遊技場に設置された状態で、図１４及び図１６に示すように、分離カバー体部８０は、連結突部８１によってカバー体７０と連結され、内側封印シール８７によって封印された状態となっている。このような状態で、１回目の検査が必要となったときには、複数（４つ）の連結突部８１を図１６のＪ−Ｊ線に沿ってニッパ等の工具で切断することにより、図１７に示すように、分離カバー体部８０をカバー体７０から分離することができ、ＲＯＭ９８を外部に露出することができる。そして、ＲＯＭ９８を抜き出して検査した後、再度ＲＯＭ９８を所定の位置に差し込み、その後、図１８に示すように、分離カバー体部８０を裏返して取付片１０５と止着ボス１０６とを合致させる。取付片１０５と止着ボス１０６とを合致させた状態で止め穴１０５ａと止着穴１０６ａとが一致するので、ビス１０７を螺着することにより、再度分離カバー体部８０を被覆状態とすることができる。
【００５０】
なお、この状態では、図１５に示すように、分離カバー体部８０とカバー体７０とが同一平面となり且つ止め穴１０５ａにビス１０７を螺着したときにビス１０７の頭部が突出しないようになっているので、このビス１０７を覆うように監督官庁の検査済封印紙８８を分離カバー体部８０の上面からカバー体７０及び箱体５１の側面にかけて破損しないように貼付することができる。そして、このように構成することにより、検査済封印紙８８を破損しない限り、分離カバー体部８０をカバー体７０から分離することができないので、不正があったか否かを容易に発見することができる。
【００５１】
また、再度の検査が必要となったときには、検査済封印紙８８を剥してビス１０７を緩めることにより、分離カバー体部８０を分離させることができ、検査後に再度分離カバー体部８０をビス１０７で螺着して新たな検査済封印紙８８を貼付すれば良い。そして、このような作業を繰り返し行うことにより、何度でもサンプル抽出検査を行うことができる。
【００５２】
以上、第２実施形態及び第３実施形態について説明してきたが、この第２，第３実施形態においても、初期状態においては第１実施形態と同様に、箱体５１とカバー体７０による遊技制御回路基板９２の被覆状態を解除するには、少なくとも分離カバー体部８０の連結突部８１を切断して破壊する以外に方法はなく、仮に連結突部８１が破壊され且つ内側封印シール８７による封印状態が解除されていれば、不正な処理が行われたことが直ちにわかる。仮に、連結突部８１の切断を慎重に行って遊技制御回路基板９２に対して不正な処理を施した後、その切断した連結突部８１を接着剤等で接着して不正を行わなかったように偽装することが考えられるが、このような場合であっても、分離カバー体部８０とカバー体７０との間の内側（基板収納ボックス５０の内部）に掛け渡されるように貼付される内側封印シール８７を元の貼付された状態に戻しながら偽装工作するのは不可能であり、結局、遊技制御回路基板９２に対する不正処理が行われたか否かが容易にわかる、という効果を奏するものである。そして、この効果に加えて、サンプル抽出検査を複数回に亘って簡単に行うことができるという利点もある。なお、上記した第１実施形態乃至第３実施形態においては、検査済封印紙８８を１カ所に貼付したものを示したが、複数カ所に貼付しても良い。
【００５３】
ところで、上記した第１実施形態乃至第３実施形態においては、箱体５１とカバー体７０とを接着剤によって接着して分離できないような構成について説明したが、箱体５１とカバー体７０との分離できない構造として他の構成を採用しても良い。例えば、図１９に示すように、カバー体７０に形成された貫通穴を貫通して一旦上方に突出された後Ｕ字状に曲折されてカバー体７０の上面と一体的に接続され且つ先端に爪部を有する係止垂下片７０ａをカバー体７０に形成し、一方、その上面が傾斜面となっており、その下部が鋭角的に切り込まれた係合面となっている係止突起５１ａを箱体５１に一体的に形成し、カバー体７０を箱体５１の上方から装着すると、係止垂下片７０ａの爪部が係止突起５１ａの係合面と係合した状態となり、この係合状態を解除できないようにするため、係止突起５１ａと係止垂下片７０ａとをリベット１０８で固着するようにしても良い。
【００５４】
ここで、係止突起５１ａと係止垂下片７０ａとをリベット１０８で固着する方法について説明すると、本実施形態に用いられるリベット１０８は、ブラインドリベット１０８と言われるもので、アルミニューム製のリベット１０８本体の中に、一端部にリベット１０８の内周筒を挿通し得ない係合部１０９ａを有し且つ係合部１０９ａの基部に径の細い折曲部１０９ｂを有する引きピン１０９を挿入したものである。そして、係止突起５１ａと係止垂下片７０ａとの合致した貫通穴にブラインドリベット１０８を差し込み、その状態で所定の工具を使用して引きピン１０９を図１９（Ａ）に示す矢印方向に引くと、係合部１０９ａによってリベット１０８の足部が図１９（Ｂ）に示すように変形し、リベット１０８の頭部と変形した端部とによって完全に係止突起５１ａと係止垂下片７０ａとが挟持された状態となり、その後、引きピン１０９をさらに強く引っ張ることにより、折曲部１０９ｂから折れて先端部が分離する。
【００５５】
このような状態において、基板収納ボックス５０の外側からリベット１０８の挟持状態を解除する操作を行うことは不可能であるため、一旦カバー体７０を箱体５１に装着してリベット１０８を固着した後には、簡単にカバー体７０を箱体５１から外すことはできない。しかして、これを外そうと思えば、係止垂下片７０ａの基部をニッパ等で切断して係止垂下片７０ａをカバー体７０から分離させなければならないので、係止垂下片７０ａの基部が破損されていれば、不正な行為が行われたことが直ちに理解できるものである。
【００５６】
上記した実施形態においては、固着手段として、箱体５１側に形成される係止突起５１ａとカバー体７０に設けられる係止垂下片７０ａとをリベット１０８で固着する構造を示したが、更に他の固着手段として、溶着技術を利用することが考えられる。そこで、図２０乃至図２６を参照して溶着による箱体５１とカバー体７０との固着構造について説明する。図２０乃至図２２は、箱体５１とカバー体７０とを溶着する際の各種の構造を示す概略断面図であり、図２３は、超音波プラスチック溶着装置の原理を示す概略図であり、図２４は、他の溶着構造を利用して箱体５１とカバー体７０とを固着した基板収納ボックス５０Ｂの平面図であり、図２５は、溶着部分の部分平面図と断面図であり、図２６及び図２７は、類似の溶着構造を示す断面図である。
【００５７】
しかして、図２０乃至図２２に示す溶着構造においては、箱体５１の上辺の適宜箇所から水平方向に延びる溶着突片１１０を延設し、一方これに対応するカバー体７０にも水平方向に溶着突片１１１を延設し、箱体５１にカバー体７０を合わせたときに、相互の溶着突片１１０，１１１が当接した状態となり、その当接部分を超音波プラスチック溶着装置によって溶着するものである。なお、溶着突片１１０，１１１の基部には、切れ込み部１１０ａ，１１１ａが形成されており、検査時等に容易に溶着部分を折曲分離することができるようになっている。
【００５８】
ここで、図２３を参照して超音波プラスチック溶着装置の原理について簡単に説明すると、ベース１２０に受治具１２１が載置され、その受治具１２１に溶着物１２２を乗せ、一方、溶着物１２２の上部には、ホーン１２３が位置し、このホーン１２３に超音波振動を付与する超音波振動子１２４を連結すると共に、ホーン１２３に圧力を加えるシリンダ１２５を連結する。超音波振動子１２４には、制御部によって制御される超音波発振器が接続され、シリンダ１２５は、空圧制御回路によって制御される。
【００５９】
しかして、ベース１２０に設けられる起動スイッチ１２６を操作して装置を稼働させたときには、ホーン１２３に超音波振動が発生すると共に、ホーン１２３に所定の圧力を加えて溶着物１２２を加圧する。そして、その加圧状態で溶着物１２２の境界面に摩擦熱が発生して、その摩擦熱によって境界面が瞬時に溶着する。なお、ベース１２０には、非常時に装置の稼働を停止する非常スイッチ１２７が設けられている。
【００６０】
上記のような動作原理の溶着装置を用いて溶着突片１１０，１１１を溶着することにより、箱体５１とカバー体７０とが、その溶着部分を破壊しない限り、分離することは不可能となる。このため、箱体５１とカバー体７０を分離して内部に収納される遊技制御回路基板９２を取り出すには、少なくとも溶着部分の切れ込み部１１０，１１１ａを折曲分離する以外に方法はなく、仮に溶着部分が折曲分離されていれば、不正な処理が行われたことが直ちにわかる。
【００６１】
なお、溶着するに際し、図２０に示すように、カバー体７０の溶着突片１１１の下面に円錐状の突起１１１ｂを形成しておくことにより、溶着時間を極めて短くすることができると共に、溶解した突起１１１ｂが境界面を埋める埋め代となって十分な溶着強度を得ることができる。また、図２１に示すように、溶着突片１１１の下面に円柱状の突起１１１ｃを形成し、溶着突片１１０に突起１１１ｃの径より若干小さい径の嵌入穴１１０ｂを形成し、これらを加圧しながら溶着することにより、突起１１１ｃが嵌入穴１１０ｂに嵌入溶着されて上記と同様に十分な溶着強度を得ることができる。同じく、十分な溶着強度を得るために溶着突片１１０，１１１側に工夫を凝らすのではなく、装置のホーン１２３の先端形状を図１２に示すように、波形突起１２３ａとすることにより、溶着後の溶着部分に溶着凹部１１３を形成することができ、この溶着凹部１１３によっても十分な溶着強度を得ることができる。
【００６２】
また、上記した実施形態では、溶着突片１１０，１１１の基部に切れ込み部１１０ａ，１１１ａを形成して折曲し易くしたものを示したが、前述した第１実施形態の基板収納ボックス５０に応用する場合には、溶着突片１１０，１１１を折れ易くする必要は全くないので、切れ込み部１１０ａ，１１１ａを形成する必要もなく、また、箱体５１とカバー体７０との全周に亘って溶着突片１１０，１１１を形成してこれらを溶着しても良い。
【００６３】
次に、同じく溶着技術を用いて固着する他の固着構造に係る基板収納ボックス５０Ｂの構成について図２４乃至図２７を参照して説明する。この基板収納ボックス５０Ｂは、カバー体７０の外周縁の適宜位置（図示では、３カ所）に長方形状の貫通穴１３０を形成すると共に、その貫通穴１３０に向かって傾斜する傾斜面部１３１を周設し、更に、貫通穴１３０の裏面一側にガイド片１３４を周設し、一方、箱体５１には、貫通穴１３０を貫通する断面長方形状の突出片１３２を突設したものである。そして、突出片１３２をガイド１３４片に沿って貫通穴１３０に貫通した状態で図２５（Ｃ）に示すように、溶着装置のホーン１２３で突出片１３２の頭部を溶解してその溶着部１３３が傾斜面部１３１と溶着係合することによって、箱体５１とカバー体７０とが、その溶着部１３３を破壊しない限り、分離することは不可能となる。このため、箱体５１とカバー体７０を分離して内部に収納される遊技制御回路基板９２を取り出すには、少なくとも溶着部１３３を破壊する以外に方法はなく、仮に溶着部１３３が破壊されていれば、不正な処理が行われたことが直ちにわかる。
【００６４】
なお、この溶着構造においては、溶着部１３３の基部（即ち、突出片１３２の基部）をきれいに切断して箱体５１とカバー体７０とを分離して不正行為を行った後その切断面に接着剤を塗布して再度箱体５１とカバー体７０とを組み付けるという不正を行われる可能性があるので、図２５（Ｅ）に示すように、貫通穴１３０の裏面の他側にも防犯用のガイド片１３５を突設すれば、上記のような不正行為を防止することができる。
【００６５】
また、突出片１３２や貫通穴１３０の形状を変えたりしても良い。例えば、図２６に示すように、カバー体７０に貫通穴を形成せず、箱体５１の突出片１３６をクランク状に形成してカバー体７０を受けるように構成し、そのクランク状突出片１３６の先端を先端形状が半円状のホーン１２３によって内側に溶着して溶着部１３７でカバー体７０を包み込むように構成しても良い。また、図２７に示すように、カバー体７０の貫通穴１３０の周辺部に傾斜面部を形成することなく突出片１３２を突出した場合には、ホーン１２３の形状を富士媚態状に形成して、突出片１３２の先端を二股状に分けてカバー体７０の上面を被覆溶着する溶着部１３８としても良い。
【００６６】
以上、本発明に係る実施形態について説明してきたが、本実施形態においては、遊技機に設けられる遊技制御回路基板９２を収納する基板収納ボックス５０において、該基板収納ボックス５０が前記遊技制御回路基板９２を収納する箱体５１、該箱体５１の底面開口５３を閉塞する透明板６１、箱体５１の上面を被覆するカバー体７０等の複数の構成部品によって組み付け構成されると共に、遊技制御回路基板９２を被覆するための組付構成部品である箱体５１とカバー体７０のうち、カバー体７０の一部を構成する分離カバー体部８０の連結突部８１を切断して破壊しない限りその被覆状態を解除することができない固着手段としての連結突部８１と、その被覆状態を明示する明示手段としての内側封印シール８７と、を設け、しかも、明示手段としての内側封印シール８７を基板収納ボックス５０の内側に設けたので、箱体５１とカバー体７０による遊技制御回路基板９２の被覆状態を解除するには、少なくとも分離カバー体部８０の連結突部８１を切断して破壊する以外に方法はなく、仮に連結突部８１が破壊され且つ内側封印シール８７による封印状態が解除されていれば、不正な処理が行われたことが直ちにわかる。ただし、連結突部８１の切断を慎重に行って遊技制御回路基板９２に対して不正な処理を施した後、その切断した連結突部８１を接着剤等で接着して不正を行わなかったように偽装することが考えられるが、このような場合であっても、分離カバー体部８０とカバー体７０との間の内側（基板収納ボックス５０の内部）に掛け渡されるように貼付される内側封印シール８７を元の貼付された状態に戻しながら偽装工作するのは不可能であり、結局、遊技制御回路基板９２に対する不正処理が行われたか否かが容易にわかる。
【００６７】
また、上記した分離カバー体部８０の面積範囲として、遊技制御回路基板９２に設けられるＲＯＭ９８の上方部分とすることにより、分離カバー体部８０を分離して被覆状態を解除することにより、ＲＯＭ９８が露出するようになるので、ＲＯＭ９８のサンプル抽出検査時における作業を行い易くすることができる。
【００６８】
また、上記した実施形態では、基板収納ボックス５０の組付構成部品として、箱体５１とカバー体７０と遊技制御回路基板９２とからなるものを示したが、遊技制御回路基板９２を収納するものであれば、どのような構造のものでも良い。この場合、上記した実施形態では、カバー体７０による箱体５１の被覆構造がコネクター実装領域９４を露出した状態としているが、本実施形態を含めてカバー体７０による被覆状態をコネクタ実装領域９４まで拡大して、簡単にコネクタの脱着を行えないようにしても良い。また、基板収納ボックス５０に収納される基板も遊技動作を制御するものに限らず、不正行為が行われ易い回路基板（例えば、景品玉の払出動作を制御する景品玉払出制御回路基板、表示器用の表示制御回路基板、発射動作を制御する発射制御回路基板、配線を中継する中継端子回路基板、電源端子や信号端子が設けられるターミナル回路基板等）を収納する基板収納ボックスにも応用することができる。更に、遊技機としては、パチンコ遊技機以外の遊技機であっても良い。
【００６９】
【発明の効果】
以上、説明したところから明らかなように、本発明においては、上面にＲＯＭを含む電子部品を実装したプリント配線基板からなる遊技制御回路基板を、箱体と該箱体の上面開口を閉塞するカバー体とで形成される基板収納ボックス内に配置して前記ＲＯＭを被覆状態とするとともに、前記ＲＯＭの前記被覆状態を解除した後に、前記ＲＯＭを再度の被覆状態とすることが可能な遊技機の基板収納ボックスにおいて、前記カバー体は、前記ＲＯＭの前記被覆状態の解除および前記再度の被覆状態の解除に対応して切断される第１切断部および第２切断部と、前記第１切断部を切断した際に、前記箱体側に残される第１部材と、前記第１切断部を切断した際に、前記第１部材を残した状態の前記箱体側から分離される第２部材と、が合成樹脂により一体成型され、前記ＲＯＭの前記被覆状態において、前記第１切断部を切断して前記箱体側から前記第２部材を分離することで、前記ＲＯＭの前記被覆状態を解除することが可能となり、前記被覆状態が解除された前記ＲＯＭは、前記第２部材側に形成されている前記第２切断部の先端側に形成された固着部を前記箱体側に形成されている被固着部に固着することにより、前記再度の被覆状態となり、前記第２切断部を切断して前記第２部材を分離することにより前記ＲＯＭの前記再度の被覆状態を解除することが可能となるので、箱体とカバー体による遊技制御回路基板の被覆状態を解除するには、少なくとも第１切断部を破壊する以外に方法はなく、仮に第１切断部が切断されていれば、不正な処理が行われたことが直ちにわかる。また、第２部材側に形成されている第２切断部の先端側に形成された固着部を箱体側に形成されている被固着部に固着することにより、再度の被覆状態となり、前記第２切断部を切断して前記第２部材を分離することによりＲＯＭの前記再度の被覆状態を解除することが可能となるので、被覆状態を一度解除しても再度の被覆状態とすることができる。
【図面の簡単な説明】
【図１】
第１実施形態に係る基板収納ボックスの平面図である。
【図２】
基板収納ボックスの分解斜視図である。
【図３】
基板収納ボックスにおける被覆状態を解除する場合を説明するための斜視図である。
【図４】
図１のＡ−Ａ線で切断した基板収納ボックスの断面図と要部の拡大部分断面図である。
【図５】
第２実施形態に係る基板収納ボックスの要部の拡大平面図である。
【図６】
１回目の検査終了後の被覆状態における基板収納ボックスの要部の平面図である。
【図７】
２回目の検査終了後の被覆状態における基板収納ボックスの要部の平面図である。
【図８】
図５のＣ−Ｃ線で切断した断面図である。
【図９】
１回目の検査のために被覆状態を解除したときの状態を説明するための断面図である。
【図１０】
図６のＤ−Ｄ線及びｄ−ｄ線で切断した断面図であって１回目の検査後の被覆状態を説明するための断面図である。
【図１１】
２回目の検査のために被覆状態を解除したときの状態を説明するための断面図である。
【図１２】
同じく２回目の検査のために被覆状態を解除したときの状態を説明するための断面図である。
【図１３】
図７のＥ−Ｅ線及びｅ−ｅ線で切断した断面図であって２回目の検査後の被覆状態を説明するための断面図である。
【図１４】
第３実施形態に係る基板収納ボックスの要部の平面図である。
【図１５】
１回目以上の検査終了後の被覆状態における基板収納ボックスの要部の平面図である。
【図１６】
図１４のＨ−Ｈ線で切断した断面図である。
【図１７】
サンプル抽出検査のために被覆状態を解除したときの状態を説明するための断面図である。
【図１８】
図１５のＩ−Ｉ線で切断した断面図である。
【図１９】
基板収納ボックスを構成する箱体とカバー体との固着構造としてリベットを利用した場合を説明するための断面図である。
【図２０】
箱体とカバー体との固着構造として溶着構造を利用した場合の溶着する際の構造を示す概略断面図である。
【図２１】
箱体とカバー体との固着構造として溶着構造を利用した場合の溶着する際の他の構造を示す概略断面図である。
【図２２】
箱体とカバー体との固着構造として溶着構造を利用した場合の溶着する際のさらに他の構造を示す概略断面図である。
【図２３】
超音波プラスチック溶着装置の原理を示す概略図である。
【図２４】
他の溶着構造を利用して箱体とカバー体とを固着した基板収納ボックスの平面図である。
【図２５】
溶着部分の部分平面図と断面図である。
【図２６】
類似の溶着構造を示す断面図である。
【図２７】
さらに類似の溶着構造を示す断面図である。
【図２８】
実施形態に係る遊技機の一例としてのパチンコ遊技機の正面図である。
【図２９】
パチンコ遊技機の背面図である。
【符号の説明】
１  パチンコ遊技機
５０  基板収納ボックス
５１  箱体
５７  係合穴
７０  カバー体
７５  係止垂下片
７５ａ  爪部
７８  封印紙
８０  分離カバー体部
８１  連結突部
８２  係合爪
８３  載置係止突片
８５  係合凸部
８６  載置当接突片
８７  内側封印シール
８８  検査済封印紙
９２  遊技制御回路基板
９８  ＲＯＭ
１００  取付台